(57)【要約】【課題】頻繁に灰の掃除をする必要が無く、万が一転倒しても安全な、蚊取り線香用の容器を提示する。また、２本の蚊取り線香を、連続して燃焼させる事も可能にする。【解決手段】下記の様に構成する。  １，底が有り、上部に開口部を有する容器の内側上部近傍に、容器内壁に取りつけた支柱を形成し、その先端に、渦巻き状の蚊取り線香を水平に保持する。  ２，複数の孔を設けた蓋を、容器上部に取り付け、前述の支柱先端と、蓋の裏側を接触させる事で、容器が転倒しても蚊取り線香が脱落しない様に保持する。  ３，前記支柱より下側に、予備支柱を設け、２本目の蚊取り線香を縦に保持する。【選択図】    図３
2006055144.tif 000002
【特許請求の範囲】
【請求項１】
底が有り、なおかつ、上部に開口部の有る、金属、樹脂、陶器、または、木製の容器において、下記の構造を有する、蚊取り線香用の容器。
１，容器の内壁から、容器の中心に向かって、略水平または傾斜した支柱を取付け、その支柱の先端は、略垂直上向きに形成されている。
２，前記支柱の先端部分の位置は、容器を上から見た時、容器の内壁よりも容器の中心点に近い位置に装置される。
３，前記の支柱は、板状の部材または、針金状の部材で構成され、板状の部材の場合は、垂直上向き部分の先端に、細く尖った形状を有する事で、渦巻き状の蚊取り線香の、中心部のスリットに容易に差し込み、略水平に蚊取り線香を保持可能とする。
４，容器の側壁に、０個、１個、または複数個の貫通孔を設ける。
【請求項２】
支柱を、下記のいずれかの方法で構成した事を特徴とする、請求項１に記載の、蚊取り線香用の容器。
１，容器の側壁の、一部分を切り抜き、折り曲げる事で、形成する。
２，支柱が、容器と接する根元部分、または、前記根元を折り曲げた部分と、容器の内壁とを、リベット止め、ネジ止め、溶接、または接着する。
３，支柱が容器と接する根元部分を、逆Ｕ字型に曲げ、容器の上端部分に、着脱自在に取り付ける、または、容器内壁に設けた凸部や孔などに、着脱自在に取り付ける。
【請求項３】
下記の特徴を有する、請求項１または請求項２に記載の、蚊取線香用の容器。
１，直径が、１ｍｍから５０ｍｍの大きさの貫通孔を、１個又は数個開けた蓋を、容器の上部開口部に、着脱自在に取りつける。
２，支柱先端の垂直上向き部分と、前記の蓋との隙間を、０ｍｍから５ｍｍの間とする。尚、隙間が０ｍｍとは、支柱の弾力によって、垂直上向き部分が、蓋に押し付けられている状態と、わずかに接触している状態の、両方を指す。
３，支柱の垂直上向き部分が接する、蓋の中央部近傍には、貫通孔を設けない。
【請求項４】
下記のいずれかの構成により、略水平に取り付けられた蚊取り線香の下側に、予備支柱を装置する事で、２本目の蚊取り線香を、水平に対して０〜９０度のいずれかの角度で保持可能な事を特徴とする、請求項１から３に記載の、蚊取り線香用の容器。予備支柱の材質と形状は、請求項１に記載の支柱と同等とする。
１，容器の側壁の、一部分を切り抜き、折り曲げる事で、形成する。
２，予備支柱の根元を、容器の内壁、または請求項１に記載の支柱へ、リベット止め、ネジ止め、溶接、または接着する。もしくは、支柱と予備支柱とを、一体成形する。
【発明の詳細な説明】
【技術分野】
【０００１】この発明は、火がついた蚊取り線香を、安全に保持する為の器具に関する。
【背景技術】
【０００２】蚊取り線香を保持する器具としては、陶器製で豚型の蚊遣りや、円筒形で金属製の缶などが有る。渦巻き状の蚊取り線香の保持方法は、中央部のスリットに、針金や支柱を差し込んで保持する方法と、石綿やグラスファイバーなど、難燃性で通気性の有る素材で保持する方法が主流である。
【発明の開示】
【発明が解決しようとする課題】
【０００３】蚊取り線香の中央部に設けられたスリットを利用して、蚊取り線香を保持する構造では、万が一、器具が転倒した場合、火がついた蚊取り線香が容器から飛び出す危険がある。
難燃性の部材で保持する方法では、線香が燃焼した後に灰が残る為、毎回、灰の掃除をする必要がある。また、ヤニなどが付着する事で、次第に通気性が悪くなり、蚊取り線香の火が、消え易くなる。
また、上記いづれの構造も、２本の蚊取り線香を連続して燃やす事はできない。
本発明は、一定期間、灰の掃除を不要とし、転倒しても安全で、なおかつ、２本の蚊取り線香を連続で燃焼させ、長時間の連続燃焼を可能にした事を特徴とする。
【課題を解決する為の手段】
【０００４】１，底が有り、上部に開口部を有する容器の、内側上部近傍の内壁に取りつけた支柱を形成し、その先端部を上向きに曲げ、そこに蚊取り線香を水平に取り付ける。
２，排煙用の孔を設けた蓋を、容器上部に取り付け、前述の支柱先端と、蓋の裏側を接触させる事で、容器が転倒しても蚊取り線香が脱落しない様に保持する。
３，前述の支柱より下側に、予備支柱を設け、２本目の蚊取り線香を縦に保持する。
【発明の効果】
【０００５】本発明により、燃焼によって発生する灰は、容器の底に溜まる。容器は、数十本の蚊取り線香を販売する為の容器と兼用にしておけば、十分な容積が確保されるので、煩雑に灰を捨てる必要が無い。
蚊取り線香を保持する為の支柱を、容器の上部に取り付ければ、必要最小限の大きさで機能を確保できるので材料の無駄が無く、グラスファイバーなどの難燃性素材も不要となる。また、１本目の蚊取り線香を水平に保持する支柱は、保持部の先端が蓋に接している為、容器が転倒しても、渦巻き状の蚊取り線香が脱落せず、安全である。
縦に保持された、２本目の蚊取り線香外周の着火部分を、水平に保持された、１本目の蚊取り線香の中心部近傍に、圧接する様に保持しておけば、１本目の火が消える前に、２本目に着火する為、自動的に２本の蚊取り線香を、連続して燃焼させる事が可能である。
【発明を実施する為の最良の形態】
【０００６】板金製の部材を下記の様に形成し、容器の上端に引っ掛けて取り付ける。その上から、複数の貫通孔を設けた蓋をかぶせる事で、支柱のぐらつきを防ぐ。
１，水平に装置した支柱の先端を、垂直上向きに曲げて尖らせる。根元は、逆Ｕ字状に曲げる。
２，上記支柱から下向きに予備支柱を取りつけ、その下端を水平になる様に曲げ、なおかつ、先端を尖らせる。
【実施例】
【０００７】図１は、請求項１の実施例を表す。円筒形の容器１の内側上部に、支柱２を形成する。支柱２は、容器の中央部分で垂直上向きに曲げられ、渦巻き状の蚊取り線香を保持可能に装置される。３は、支柱２の斜視図であり、垂直上向き部分の先端が、蚊取り線香中心部のスリットに差し込み易い様に、尖っている。
容器１は、中に多数の蚊取り線香を入れて販売する為にも使用できる。消費者は、購入後に蚊取り線香を全て取り出し、図の様に、燃焼用の容器として使用する。
５は、蚊取り線香の燃焼により発生した灰である。図の様に、容器の底に十分な容量が有る為、極めて長期間に渡り、灰を捨てる手間が省ける。また、容器が転倒した際にも、蓋の貫通孔の位置を外周から離しておけば、灰がこぼれる事は無い。
４は、容器１の側面に開けた新気取り入れ用の貫通孔で、必要に応じて設ける。【０００８】図２は、請求項２の実施例を表す。６は、支柱２の根元部分を逆Ｕ字型に成形し、容器１の上端部に引っ掛けて、着脱自在に取り付けられる様に装置した物である。この構成により、蚊取り線香を入れて販売する際、６を取り外して同梱しておき、燃焼させる時だけ、取り付ける事ができる為、非常に便利である。【０００９】図３は、請求項３の実施例を表す。排煙と、新気取り入れ用の貫通孔８を有する蓋７を、図２の上部にかぶせた状態である。支柱６は、９で蓋７と接触している。この構成により、万が一、容器１が転倒しても、渦巻き状の蚊取り線香１２は、外れる事が無く、安全である。【００１０】図４は、請求項４の実施例を表す。１０は支柱で、６に予備支柱１１を形成した物である。この構成により、１本目の蚊取り線香１２を水平に保持し、２本目の蚊取り線香１３を垂直に保持できる。そして、１３の外周の着火部を、１１の弾力性を利用して、１２の中心付近に圧接させておけば、１２が燃え尽きる直前に１３に燃え移るので、蚊取り線香２本分の長時間燃焼が可能となる。
【産業上の利用可能性】
【００１１】本発明は、蚊取り線香用の容器であり、掃除の手間を省き、安全で長時間の燃焼を可能にするものである。
【図面の簡単な説明】
【００１２】
【図１】請求項１の実施例を表す。
【図２】請求項２の実施例を表す。
【図３】請求項３の実施例を表す。
【図４】請求項４の実施例を表す。
【符号の説明】
【００１３】１，容器。
２，蚊取り線香を、水平に保持する為の支柱。
３，支柱２の、斜視図であり、垂直上向き部分が尖っている事を示す。
４，容器の側面に設けた、新気取り入れ用の貫通孔。有無は問わない。
５，蚊取り線香の燃焼により生じた灰が、容器底部に溜まっている状態を示す。
６，支柱２を、容器１の上部に引っ掛ける様に構成した、支柱。
７，容器１が転倒しても、蚊取り線香が脱落しない様に押さえる為の、蓋。
８，蓋７に設けた、排煙及び新気導入用の貫通孔。
９，支柱６と、蓋７が、圧接されている部分を指す。
１０，支柱６と同形状に、予備支柱１１が取り付けられている支柱である。
１１，蚊取り線香を、縦または斜めに保持する為の、予備支柱。
１２，水平に保持された、１本目の蚊取り線香である。一般的な渦巻き形状で、中心部には、保持器等に差し込む為のスリットが有る。
１３，縦に保持された、２本目の蚊取り線香で、１２と同一形状である。
１４，蚊取り線香１３の着火部が、１２の中心付近に圧接している部分を指す。
【図１】
2006055144.tif 000003
【図２】
2006055144.tif 000004
【図３】
2006055144.tif 000005
【図４】
2006055144.tif 000006